(57)【要約】【課題】発電機能具備のエクササイズマシンの電力周辺アプリケーション制御システムの提供。【解決手段】エクササイズマシンが、電圧制御振動器、アナログディジタル変換器及びスマートタイプ制御システムを具えたアプリケーション制御システムと、配列された若干の周辺装置で組成された周辺装置群とに外接され、エクササイズマシンの発生する直流電力が電圧制御振動器に伝送され電圧制御振動器が電気エネルギーを適当な周波数に調整し、アナログディジタル変換器が電圧制御振動器の出力する電気エネルギーの多寡を検出してデータをスマートタイプ制御システムに送り、スマートタイプ制御システムが電気エネルギーの多寡及び周辺装置の順序及び使用電力量により起動する周辺装置の数量を決定し電気エネルギーを適当に分配し電気エネルギーを十分に運用する。【選択図】　　　　図１
2004113585.tif 000002
【特許請求の範囲】
【請求項１】
発電機能具備のエクササイズマシンの電力周辺アプリケーション制御システムにおいて、それは発電機能具備のエクササイズマシンを具え、該エクササイズマシンが一組のアプリケーション制御システム及び周辺装置群に外接され、該アプリケーション制御システムが、電圧制御振動器、アナログディジタル変換器及びスマートタイプ制御システムを具え、該周辺装置群が配列された若干の周辺装置で組成され、これにより、エクササイズマシンの発生する直流電力が電圧制御振動器に伝送され電圧制御振動器が電気エネルギーを適当な周波数に調整し、アナログディジタル変換器が電圧制御振動器の出力する電気エネルギーの多寡を検出してデータをスマートタイプ制御システムに送り、スマートタイプ制御システムが電気エネルギーの多寡及び周辺装置の順序及び使用電力量により起動する周辺装置の数量を決定し電気エネルギーを適当に分配し電気エネルギーを十分に運用することを特徴とする、発電機能具備のエクササイズマシンの電力周辺アプリケーション制御システム。
【請求項２】
請求項１に記載の発電機能具備のエクササイズマシンの電力周辺アプリケーション制御システムにおいて、周辺装置中に、ファンにバーチャルリアリティーシステムと動力制御台が組み合わされ、これによりバーチャルリアリティー環境の真実感が増加されることを特徴とする、発電機能具備のエクササイズマシンの電力周辺アプリケーション制御システム。
【請求項３】
請求項１に記載の発電機能具備のエクササイズマシンの電力周辺アプリケーション制御システムにおいて、スマートタイプ制御システムが嵌め込み式システムと組み合わされ、スマートタイプ制御システムが周辺設備の必要とする電気エネルギーによりオン或いはオフの信号を提供し、周辺装置を起動或いは停止させる機能を具備し、これにより電気エネルギーの浪費を減少すると共に十分に応用できるようにしたことを特徴とする、発電機能具備のエクササイズマシンの電力周辺アプリケーション制御システム。
【発明の詳細な説明】
【０００１】
【発明の属する技術分野】
本発明は一種の発電機能具備のエクササイズマシンの電力周辺アプリケーション制御システムに係り、特に、効率的にエクササイズマシンの発生する電気エネルギーを分配及び使用でき、周辺拡充設備に提供する制御システムとされ、周辺装置の必要とする電気エネルギーに依り、エクササイズマシンの発生する電気エネルギーを適当に分配し、並びに十分な電気エネルギーの運用を達成する長所と機能を有する、発電機能具備のエクササイズマシンの電力周辺アプリケーション制御システムに関する。
【０００２】
【従来の技術】
伝統的なエクササイズマシンは発電機能を不具備のものと具備するものの二種類があり、そのうち発電機能不具備のエクササイズマシンは一般に目にするエクササイズマシンであり、発電機能具備のものは一般に永久磁石式エクササイズマシンと称され、それは、エクササイズマシン動作時の動作エネルギーを電気エネルギーに変換し、エクササイズマシンの周辺装置、例えば扇風機、音響装置或いはバーチャルリアリティー装置に提供しその使用に供するものとされる。このような従来の発電機能具備のエクササイズマシンは通常エクササイズマシン作動時に発電機の発生する電気エネルギーを完全に、妥当に運用しておらず、エクササイズマシンの発電機の使用する電気エネルギーの一部しか使用していない場合が多く、残りの電気エネルギーは消耗抵抗により消耗され、また消耗抵抗による消耗のために電気エネルギーの有効利用が達成されない。このため、消耗抵抗の高温によりエクササイズマシン中の部品が損壊したり、エクササイズマシンの使用寿命が短縮され、並びに使用者が不注意から消耗抵抗付近に接触すると、火傷をする恐れがある。このほか、エクササイズマシンには発生する電気エネルギーを平均して全ての周辺装置に分配する設計のものがあるが、かえって全部の周辺装置が起動不能となる状況が発生し、使用者にトラブルが倍増する印象を与える。
【０００３】
このように、従来の発電機能具備のエクササイズマシンには、適当にエクササイズマシンの発生する電気エネルギーが運用されず、エクササイズマシンの使用寿命を短縮し、さらに使用者を火傷させる恐れがあり、或いは平均分配後の電圧が低過ぎて周辺装置を起動できない問題がある。
【０００４】
【発明が解決しようとする課題】
以上の従来の技術の問題を鑑み、本考案はそれを解決する発電機能具備のエクササイズマシンの電力周辺アプリケーション制御システムを提供する。
【０００５】
ゆえに、本考案の目的は、一種の発電機能具備のエクササイズマシンの電力周辺アプリケーション制御システムを提供することにあり、それは、周辺装置の必要とする電気エネルギーに依り、エクササイズマシンの発生する電気エネルギーを適当に分配し、並びに十分な該電気エネルギーの運用を達成する長所と機能を有するものとする。
【０００６】
【課題を解決するための手段】
請求項１の発明は、発電機能具備のエクササイズマシンの電力周辺アプリケーション制御システムにおいて、それは発電機能具備のエクササイズマシンを具え、該エクササイズマシンが一組のアプリケーション制御システム及び周辺装置群に外接され、該アプリケーション制御システムが、電圧制御振動器、アナログディジタル変換器及びスマートタイプ制御システムを具え、該周辺装置群が配列された若干の周辺装置で組成され、これにより、エクササイズマシンの発生する直流電力が電圧制御振動器に伝送され電圧制御振動器が電気エネルギーを適当な周波数に調整し、アナログディジタル変換器が電圧制御振動器の出力する電気エネルギーの多寡を検出してデータをスマートタイプ制御システムに送り、スマートタイプ制御システムが電気エネルギーの多寡及び周辺装置の順序及び使用電力量により起動する周辺装置の数量を決定し電気エネルギーを適当に分配し電気エネルギーを十分に運用することを特徴とする、発電機能具備のエクササイズマシンの電力周辺アプリケーション制御システムとしている。
請求項２の発明は、請求項１に記載の発電機能具備のエクササイズマシンの電力周辺アプリケーション制御システムにおいて、周辺装置中に、ファンにバーチャルリアリティーシステムと動力制御台が組み合わされ、これによりバーチャルリアリティー環境の真実感が増加されることを特徴とする、発電機能具備のエクササイズマシンの電力周辺アプリケーション制御システムとしている。
請求項３の発明は、請求項１に記載の発電機能具備のエクササイズマシンの電力周辺アプリケーション制御システムにおいて、スマートタイプ制御システムが嵌め込み式システムと組み合わされ、スマートタイプ制御システムが周辺設備の必要とする電気エネルギーによりオン或いはオフの信号を提供し、周辺装置を起動或いは停止させる機能を具備し、これにより電気エネルギーの浪費を減少すると共に十分に応用できるようにしたことを特徴とする、発電機能具備のエクササイズマシンの電力周辺アプリケーション制御システムとしている。
【０００７】
【発明の実施の形態】
本考案は一種の発電機能具備のエクササイズマシンの電力周辺アプリケーション制御システムを提供し、それは発電機能具備のエクササイズマシンを具え、該エクササイズマシンが一組のアプリケーション制御システム及び周辺装置群に外接されている。そのうち、このアプリケーション制御システムは、電圧制御振動器、アナログディジタル変換器及びスマートタイプ制御システムを具え、周辺装置群は配列された若干の周辺装置で組成されている。これにより、エクササイズマシンの発生する直流電気が電圧制御振動器に伝送され電圧制御振動器が電気エネルギーを適当な周波数に調整し、アナログディジタル変換器が電圧制御振動器の出力する電気エネルギーの多寡を検出してデータをスマートタイプ制御システムに送り、スマートタイプ制御システムが電気エネルギーの多寡及び周辺装置の順序及び使用電力量により起動する周辺装置の数量を決定し電気エネルギーを適当に分配し電気エネルギーを十分に運用する。
【０００８】
【実施例】
図１に示されるように、本考案はエクササイズマシン１を具え、該エクササイズマシン１は一組のアプリケーション制御システム２及び一組の周辺装置群３に外接されている。
【０００９】
該アプリケーション制御システム２は、電圧制御振動器２１（ＶＣＯ；Ｖｏｌｔａｇ　Ｃｏｎｔｒｏｌｌｅｄ　Ｏｓｃｉｌｌａｔｏｒ）、アナログディジタル変換器２２（ＡＤＣ；Ａｎａｌｏｇ　Ｄｉｇｉｔａｌ　Ｃｏｎｖｅｒｔｅｒ）、及び、電圧制御振動器２１（ＶＣＯ）、アナログディジタル変換器２２（ＡＤＣ）及び周辺装置群３に連接されたスマートタイプ制御システム２３を具えている。
【００１０】
該周辺装置群３は、配列された若干の周辺装置３１、３２、・・・３ｎ（配列順序は周辺装置の使用重要性により配列される）を具え、並びに全ての周辺装置３１、３２、・・・３ｎの電気エネルギー必要量がアプリケーション制御システム２のスマートタイプ制御システム２３中に入力される。
【００１１】
これにより、エクササイズマシン１の発生する電流が直流に調整され、さらにこの直流電力が電圧制御振動器２１（ＶＣＯ）に伝送されて電圧制御振動器２１（ＶＣＯ）が電気エネルギーを６０Ｈｚの周波数の電気エネルギーに調整し、アナログディジタル変換器２２（ＡＤＣ）が電圧制御振動器２１（ＶＣＯ）の出力する電気エネルギーの多寡を検出した後、データをスマートタイプ制御システム２３に送り、スマートタイプ制御システム２３が電気エネルギーの多寡及び周辺装置３１、３２、・・・３ｎの順序及び使用電力量により起動する周辺装置３１、３２、・・・３ｎの数量を決定する。反対に、エクササイズマシン１の発生する電気エネルギーが比較的低い時は、ただ一組或いは二組の周辺装置３１、３２だけを起動し、以上の設置により電気エネルギーを適当に分配し電気エネルギーを十分に運用する長所と機能を達成する。
【００１２】
本発明のエクササイズマシン１の発生する電気エネルギーの実際の分配使用状態に関して、特に電気エネルギーを冷却ファン或いは一般の扇風機に応用する場合を例として説明する。図２を参照されたい。エクササイズマシン１中には若干の消耗抵抗（図示せず）が設けられ、ゆえに温度上昇の現象を発生するため冷却ファン３１１を設置して、消耗抵抗を冷却してエクササイズマシン１の使用寿命を延長する必要がある。本発明の設計によると、エクササイズマシン１の発生する電気エネルギーの多寡により冷却ファン３１１の消耗抵抗に対する冷却の強弱程度が決定される。このほか、使用者に余分のファン３２１を提供する場合、もしこのファン３２１をバーチャルリアリティーシステム３２２及び動力制御台３２３と組み合わせて使用するなら、外界より吹きつける形態で使用され、且つ状況に応じて微風から海辺のような強風まで変化のある送風を行うものとされる。これから、バーチャルリアリティー環境の真実感を増加できる。さらに、全部の周辺装置３１、３２、・・・３ｎ（例えばラジオ、ＣＤプレイヤー等の音響設備）がいずれもエクササイズマシン１の発生する電気エネルギーの制御を受け、ゆえにこの電気エネルギーを浪費せずに有効に運用する状況にあって、本発明は嵌め込み式システムを組合せ可能であり、スマートタイプ制御システム２３が周辺装置３１、３２、・・・３ｎの必要とする電気エネルギーに依り、オン或いはオフの信号を提供し、周辺装置３１、３２、・・・３ｎを起動及び停止させる機能を有する。こうして図１に示されるように、電気エネルギーの浪費を減少し並びに十分に応用する目的を達成する。
【００１３】
【発明の効果】
総合すると、本発明の発電機能具備のエクササイズマシンの電力周辺アプリケーション制御システムに記載の技術手段は確実に有効に周知のエクササイズマシンの問題を解決し、並びに予期された目的と機能を達成し、従来にはなく且つ自然法則を利用した技術思想の高度の創作であり、産業上の利用価値を有しており、ゆえに特許の要件に符合するものである。
【図面の簡単な説明】
【図１】本発明の全体システム表示図である。
【図２】本発明が冷却ファンと一般の扇風機に応用された時の表示図である。
【符号の説明】
１　エクササイズマシン　　　　２　アプリケーション制御システム
２１　電圧制御振動器　　　　　２２　アナログディジタル変換器
２３　スマートタイプ制御システム　　３　周辺装置群
３１、３２、・・・３ｎ　周辺装置
３１１　冷却ファン　　　　　　３２１　扇風機
３２２　バーチャルリアリティーシステム　　　３２３　動力制御台
【図１】
2004113585.tif 000003
【図２】
2004113585.tif 000004